(57)【要約】【課題】陳列什器の前面に対する突出量を少なくしながら、多数の商品を陳列できるようにする。【解決手段】陳列什器における垂直状の表面板に対して基端部１１ａ，１２ａをそれぞれ固定する上下一対の支持体１１，１２からなり、上支持体１１は、その基端部１１ａから前記表面板の前方向に適宜寸法突出する上間隔保持アーム部１１ｂと、該間隔保持アーム部１１ｂから前記表面板の表面に略沿って略水平状に延びる主支持アーム部１１ｃとにより構成され、下支持体１２は、その基端部１２ａから前記表面板の前方向に適宜寸法突出する下間隔保持アーム部１２ｂと、該下間隔保持アーム部１２ｂから前記主支持アーム部１１ｃの適宜位置に延びて連結固定するための補助支持アーム部１２ｃとにより構成されている。【選択図】  図４
2004173929.tif 000002
【特許請求の範囲】
【請求項１】
陳列什器における垂直状の枠体または表面板に対して基端をそれぞれ固定する上下一対の支持体からなり、
上支持体は、その基端から前記枠体または表面板の前方向に適宜寸法突出する上間隔保持アーム部と、該間隔保持アーム部から前記枠体または表面板の表面に略沿って略水平状に延びる主支持アーム部とにより構成され、
前記下支持体は、その基端から前記枠体または表面板の前方向に適宜寸法突出する下間隔保持アーム部と、該下間隔保持アーム部から前記主支持アーム部の適宜位置に延びて連結するための補助支持アーム部とから構成されていることを特徴とする商品陳列装置。
【請求項２】
前記上下の間隔保持アーム部は、前記上下一対の支持体における同じ側方に配置されていることを特徴とする請求項１に記載の商品陳列装置。
【請求項３】
前記主支持アーム部は、商品陳列のための吊支体を係止可能、または載置板を載置可能なように棒材にて形成されていることを特徴とする請求項１又は２に記載の商品陳列装置。
【請求項４】
前記上下一対の支持体は、棒材をそれぞれ屈曲形成したものであることを特徴とする請求項１乃至３のいずれかに記載の商品陳列装置。
【発明の詳細な説明】
【０００１】
【発明の属する技術分野】
本発明は、店舗における商品陳列用の装置に係り、より詳しくは、陳列台、陳列用スタンド等に水平に突出するように取り付けて商品を吊支したり、載置できるようにした支持装置の構成に関するものである。
【０００２】
【従来の技術】
この種の商品の陳列用の支持装置として、例えば、特許文献１に開示されているように、枠状の陳列台における上下一対の水平杆に対して、吊支具の基板から後向きに突出させた上下一対の下向きコ字状のフックを係合させる一方、前記基板の前面に１本の吊支杆を略水平状に前向きに突出させたものが知られている。
【０００３】
この構成の支持装置では、前記１本の吊支杆に商品の包装体の上端に設けた吊支フックを係止して吊り下げて陳列するものである。
【０００４】
【特許文献１】
実用新案登録番号第３０２２１９９号公報（図１及び図２参照）
【０００５】
【発明が解決しようとする課題】
しかしながら、前記先行技術では、前記１本の吊支杆が陳列台の表面から前方に突出させる構成であるから、吊り下げるべき商品の数を多くするには、吊支杆の長さが必然的に長くなり、前記陳列台から突出する寸法も必然的に大きくなるので邪魔になる一方、吊支杆に連れ下げた商品の重みと、陳列台から突出する吊支杆の長さの積によるモーメントも大きくなって、陳列台の基部をそれに耐えるようにする構成も大きくなって、商品陳列装置全体が嵩張るという問題があった。
【０００６】
本発明は、商品陳列装置の表面からの突出量を少なくしながら多数の商品陳列が可能であり、且つコンパクトな商品陳列装置を提供することを目的とするものである。
【０００７】
【課題を解決するための手段】
前記目的を達成するため、請求項１に記載の発明の商品陳列装置は、陳列什器における垂直状の枠体または表面板に対して基端をそれぞれ固定する上下一対の支持体からなり、上支持体は、その基端から前記枠体または表面板の前方向に適宜寸法突出する上間隔保持アーム部と、該間隔保持アーム部から前記枠体または表面板の表面に略沿って略水平状に延びる主支持アーム部とにより構成され、前記下支持体は、その基端から前記枠体または表面板の前方向に適宜寸法突出する下間隔保持アーム部と、該下間隔保持アーム部から前記主支持アーム部の適宜位置に延びて連結するための補助支持アーム部とから構成されているものである。
【０００８】
そして、請求項２に記載の発明は、請求項１に記載の商品陳列装置において、前記上下の間隔保持アーム部は、前記上下一対の支持体における同じ側方に配置されているものである。
【０００９】
また、請求項３に記載の発明は、請求項１又は２に記載の商品陳列装置において、前記主支持アーム部は、商品陳列のための吊支体を係止可能、または載置板を載置可能なように棒材にて形成されているものである。
【００１０】
請求項４に記載の発明は、請求項１乃至３のいずれかに記載の商品陳列装置において、前記上下一対の支持体は、棒材をそれぞれ屈曲形成したものである。
【００１１】
【発明の実施の形態】
次に、本発明を具体化した実施形態について図面を参照しながら説明する。図１は第１実施形態における陳列什器と、その前面に装着する本発明の商品陳列装置の概略斜視図、図２は要部の側面図、図３は本発明の商品陳列装置の下面図、図４は斜視図、図５は第２実施形態における陳列什器と、その前面に装着する第２実施形態の商品陳列装置の概略斜視図、図６は第２実施形態の商品陳列装置の斜視図である。
【００１２】
図１〜図４において、陳列什器１は垂直状の枠体２の下端を板状の足３に連結して立設し、その枠体２の前面に表面板であるパネル体４を着脱可能に取り付けてなるものである。枠体２はアルミサッシ等の金属型材からなる左右一対の支柱２ａ，２ａと上下の横梁２ｃ，２ｄとを連結固定して、正面視矩形状に形成されている。
【００１３】
上下長手のパネル体４には、その上下端部に下向きコ字状の取付けブラケット５ａ，５ｂが固定されており、各取付けブラケット５ａ，５ｂが前記上下横梁２ｃ，２ｄ対して上方からきっちりと嵌まるように形成されている。上取付けブラケット５ａには、前記上横梁２ｃの上面から突出する取付けピン６に嵌まる係合孔７が穿設されている。なお、本実施形態においては、パネル体４の表面に陳列効果を向上させるための、色違いの化粧板８を着脱可能に装着している。
【００１４】
本発明に係る商品陳列装置１０の第１実施形態は、図１〜図４に示すように、金属の棒体を屈曲形成してなる上下一対の支持体１１、１２にて構成されている。上支持体１１は、その基端部１１ａから前記パネル体４の前方向に適宜寸法Ｌ１だけ突出する上間隔保持アーム部１１ｂと、該間隔保持アーム部１１ａからパネル体４表面に略沿って略水平状に延びる主支持アーム部１１ｃとにより構成されている。なお、主支持アーム部１１ｃの先端は若干の寸法だけ水平且つ前方向に延びている。
【００１５】
前記下支持体１２は、その基端部１２ａから前記パネル体４の前方向に適宜寸法Ｌ２（Ｌ１より若干短い）だけ突出する下間隔保持アーム部１２ｂと、該下間隔保持アーム部１２ｂから前記上支持体１１における主支持アーム部１１ｃの適宜位置に延びて連結するための補助支持アーム部１２ｃとから構成されている。この第１実施形態では補助支持アーム部１２ｃは、前記下間隔保持アーム部１２ｂから前記主支持アーム部１１ｃに対して平行状且つ水平状に延びる第１アーム部１２ｃ１と、前記主支持アーム部１１ｃに向かって垂直に延びる第２アーム部１２ｃ２と、第２アーム部１２ｃ２の上端からパネル体４表面に略沿って略水平状で且つ前記主支持アーム部１１ｃに対して平行状に延びる第３アーム部１２ｃ３とから構成されている。第３アーム部１２ｃ３の先端は若干の寸法だけ水平且つ前方向に延びている。
【００１６】
なお、前記基端部１１ａ，１２ａには雄ねじ部が形成されており、上間隔保持アーム部１１ｂ、下間隔保持アーム部１２ｂとの境界部には、鍔１３、１３が溶接やろう付け等により固定されて、上間隔保持アーム部１１ｂ、下間隔保持アーム部１２ｂがパネル体４から突出する寸法Ｌ１（Ｌ２）を規定している。
【００１７】
そして、この第１実施形態では、主支持アーム部１１ｃと補助支持アーム部１２ｃとの重なり部位を溶接またはろう付け１５等にて連結されている。また、主支持アーム部１１ｃと補助支持アーム部１２ｃとの両上端面が同一水平面に位置しており、両者の上面にわたって物品１６を載置するための載置板１４がろう付け１５等にて固定されている（図２、図３参照）。
【００１８】
この第１実施形態の商品陳列装置１０では、上下一対の支持体１１、１２の各基端部１１ａ，１２ａを、パネル体４の縦方向の一側辺に偏倚した位置に穿設された取付け孔に前方向から差込み、両基端部１１ａ，１２ａがパネル体４の裏面に貫通した各雄ねじ部に蝶雌ねじ等のナット体１７にて締着するだけで簡単に装着固定できる。前記各雄ねじ部を右ネジにて形成した場合に、主支持アーム部１１ｃ及び第３アーム部１２ｃ３が延びる方向が、パネル体４の前面を向いて右方向であるときには、物品１６の荷重により、当該主支持アーム部１１ｃ及び第３アーム部１２ｃ３係るモーメントの向きが、前記ナット体１７と鍔１３とでパネル体４の表裏面を締めつける方向に作用するので、前記ナット体１７は雄ねじ部から緩むことがない。
【００１９】
そして、この商品陳列装置１０はパネル体４の前面に対する突出量（寸法）を短くしてパネル体４の前面に沿う方向の寸法を長くできるから、当該商品陳列装置１０に物品（商品）１６を載置して陳列する場合に、足３の部分を前方に長くしなくても前方に倒れることがなく、陳列什器１をコンパクトにできる。
【００２０】
さらに、上下一対の支持体１１、１２が、主支持アーム部１１ｃと補助支持アーム部１２ｃとの重なり部位にて連結固定されているから、全体としてラーメン構造となり、しかも、載置板１４が載置される水平部分である主支持アーム部１１ｃと第３アーム部１２ｃ３とを、その下方の第１アーム部１２ｃ１と、前記主支持アーム部１１ｃに向かって垂直に延びる第２アーム部１２ｃ２とで支えることになるので、前記水平部分である主支持アーム部１１ｃと第３アーム部１２ｃ３とが片持ち梁の形式であるにも拘らず、載置板１４に載置した物品（商品）１６の重量による撓み量を小さくでき、従来の１本の棒状の支持アームにて荷重を支持する場合に比べて、重い物品（商品）を安定して支持することができるという効果を奏する。
【００２１】
また、パネル体４の前面の上下部位に設けた側断面コ字状の縁部材９ａ，９ｂに化粧板８を横方向から差し込んで着脱自在に装着するように構成しておけば（図２参照）、商品陳列装置１０の基端部はパネル体４の左右のうち一側だけに固定されており、主支持アーム部１１ｃ、補助支持アーム部１２ｃ及び載置板１８の後縁と、化粧板８とが干渉しないから、当該化粧板８のみを横方向にずらして取り替えることも簡単にできる。
【００２２】
図５及び図６に示す第２実施形態では、陳列什器１は枠体２と足３とからなる。本発明に係る商品陳列装置２０における上下一対の支持体２１、２２は、同じく金属棒を屈曲形成したものであって、一対の支持体２１、２２の基端部２１ａ，２２ａを一方の支柱２ａの前面に固定する。
【００２３】
上支持体２１は、その基端部２１ａから枠体２の前方向に適宜寸法Ｌ３だけ突出する上間隔保持アーム部２１ｂと、該間隔保持アーム部２１ａから枠体２の表面に略沿って略水平状に延びる主支持アーム部２１ｃとにより構成されている。なお、主支持アーム部２１ｃの先端は若干の寸法だけ上向き方向に延びている。下支持体２２は、その基端部２２ａから前記枠体２またはパネル体４の前方向に適宜寸法Ｌ３だけ突出する下間隔保持アーム部２２ｂと、該下間隔保持アーム部２２ｂから前記上支持体２１における主支持アーム部２１ｃの適宜位置に向かって斜め上向きに延びて連結するための補助支持アーム部２２ｃとから構成されている。補助支持アーム部２２ｃの先端部を主支持アーム部２１ｃの下面に沿わせてろう付け１５等にて連結固定しているので、商品陳列装置２０は全体としてラーメン構造となる。
【００２４】
この構成でも、両基端部２１ａ，２２ａは雄ねじ部に形成され、且つ上間隔保持アーム部２１ｂ、下間隔保持アーム部２２ｂとの境界部には、鍔１３、１３が溶接やろう付け等により固定されて、上間隔保持アーム部２１ｂ、下間隔保持アーム部２２ｂが枠体２またはパネル体４から突出する寸法Ｌ３を規定している。
【００２５】
第２実施形態の商品陳列装置２０では、主支持アーム部２１ｃの適宜位置に商品の吊支体としての包装体２３のフック部２３ａを吊支すれば良い（図５参照）。
【００２６】
第２実施形態の商品陳列装置２０でも、主支持アーム部２１ｃが枠体２またはパネル体４の前面と平行状に延びているから、多数の商品の包装体２３を吊しても前方への突出量が少なくコンパクトにできる等、第１実施形態と同様の効果を奏する。そして、物品１６の荷重により、当該主支持アーム部２１ｃ及び補助アーム部２２ｃ係るモーメントの向きが、前記ナット体１７と鍔１３とでパネル体４の表裏面を締めつける方向に作用するので、前記ナット体１７は雄ねじ部から緩むことがなく、従って、物品を吊り下げた場合に、主支持アーム部２１ｃの先端側が下向きに傾いてフック部２３ａが外れることもない。
【００２７】
図７（ａ）及び図７（ｂ）は前記第２実施形態の変形例であって、下支持体２２における基端部２２ａから前記枠体２の前方向に突出する下間隔保持アーム部２２ｂの長さ寸法Ｌ４が上間隔保持アーム部２１ｂの長さＬ３よりも短く形成されているから、主支持アーム部２１ｃに吊支されている包装体が補助支持アーム部２２ｃの下端に干渉しにくい。
【００２８】
図８（ａ）及び図８（ｂ）は前記第２実施形態の他の変形例を示し、下支持体２２における基端部２２ａから前記枠体２またはパネル体４の前方向に突出する下間隔保持アーム部２２ｂの長さと上間隔保持アーム部２１ｂの長さは同じ寸法Ｌ３であるが、補助支持アーム部２２ｃは、前記下間隔保持アーム部２２ｂの先端から垂直上向きに延びる第１アーム部２２ｃ１′と、前記主支持アーム部２１ｃの下面に沿って延びる第２アーム部２２ｃ２′とからなり、主支持アーム部２１ｃと第２アーム部２２ｃ２′とをろう付け等にて固定したものや、第１実施形態と略同様の形態に補助支持アーム部２２ｃを屈曲形成したもの（図８（ａ）の二点鎖線参照）がある。この変形例では包装体２３のフック部２３ａを吊支する部分の部材を太くすることができる。
【００２９】
図９に示す第３実施形態の商品陳列装置３０では、下支持体３２における基端部３２ａから前記枠体２またはパネル体４の前方向に突出する下間隔保持アーム部３２ｂの長さ寸法Ｌ４が上間隔保持アーム部３１ｂの長さＬ３よりも短く形成されている。そして、補助支持アーム部３２ｂの先端屈曲部３３は、上支持体３１における主支持アーム部３１ａの長手方向中途部下面に設けたリング状の連結片３４に係合させている。従って、この実施形態における商品陳列装置３０はトラス構造であるけれども、主支持アーム部３１ａに掛かる物品（商品）の荷重を補助支持アーム部３２ｂを解して下支持体３２でも分担して支持できるから、片持ち梁である主支持アーム部３１ａの撓み量を小さくできる。
【００３０】
図１０に示す第４実施形態の商品陳列装置４０では、上下一対の支持体４１、４２の屈曲形態である基端部４１ａ，４２ａ，４１ｂ，４２ｂ，４１ｃ，４２ｃ等及び連結形態は図６に示す第２実施形態とほぼ同じである。上支持体４１における主支持アーム部４１ｃには、陳列什器１の前面に接近するように平面視コ字状等の枠片４３をろう付け等にて固定し、包装体の吊支位置を増大させたり、載置板（図示せず）を安定して取付け可能とするものである。
【００３１】
前記それぞれの上下の支持体は、丸棒を屈曲させても良いし、角棒やパイプ材を屈曲形成しても良い。
【００３２】
上下一対の支持体の陳列什器１に対する取付け位置は右または左のいずれでも良い。
【００３３】
【発明の効果】
以上に詳述したように、請求項１に記載の発明の商品陳列装置は、陳列什器における垂直状の枠体または表面板に対して基端をそれぞれ固定する上下一対の支持体からなり、上支持体は、その基端から前記枠体または表面板の前方向に適宜寸法突出する上間隔保持アーム部と、該間隔保持アーム部から前記枠体または表面板の表面に略沿って略水平状に延びる主支持アーム部とにより構成され、前記下支持体は、その基端から前記枠体または表面板の前方向に適宜寸法突出する下間隔保持アーム部と、該下間隔保持アーム部から前記主支持アーム部の適宜位置に延びて連結するための補助支持アーム部とから構成されているものである。
【００３４】
従って、物品（商品）を吊支したり載置するとき、主支持アーム部及び補助支持アーム部に掛かる荷重を前記上下一対の支持体にて確実に支持でき、且つ主支持アーム部及び補助支持アーム部は陳列什器における垂直状の枠体または表面板に対して適宜間隔隔てた前面位置に沿って平行状に延びているから、陳列什器の前面に大きく突出しない状態で商品を多数吊支したり、載置できる。このようにして商品陳列装置をコンパクトにできる効果を奏する。
【００３５】
そして、請求項２に記載の発明は、請求項１に記載の商品陳列装置において、前記上下の間隔保持アーム部は、前記上下一対の支持体における同じ側方に配置されているものであるから、陳列什器における垂直状の枠体または表面板に対して前記上下一対の支持体の基端を固定した状態で、片持ち梁的な支持構造となって前記枠体または表面板の前面に化粧板を簡単に取り外しできる。またデザインがすっきりする。
【００３６】
また、請求項３に記載の発明は、請求項１又は２に記載の商品陳列装置において、前記主支持アーム部は、商品陳列のための吊支体を係止可能、または載置板を載置可能なように棒材にて形成すると、デザインがすっきりする。
【００３７】
請求項４に記載の発明は、請求項１乃至３のいずれかに記載の商品陳列装置において、前記上下一対の支持体は、棒材をそれぞれ屈曲形成したものであるから、商品陳列装置全体の重量を軽量にできるという効果を奏する。
【図面の簡単な説明】
【図１】第１実施形態の陳列什器及び商品陳列装置の斜視図である。
【図２】要部の拡大側面図である。
【図３】商品陳列装置の下面図である。
【図４】商品陳列装置の斜視図である。
【図５】第２実施形態の斜視図である。
【図６】商品陳列装置の第２実施形態の斜視図である。
【図７】（ａ）は変形例の斜視図、（ｂ）は取付け状態の平面図である。
【図８】（ａ）は他の変形例の斜視図、（ｂ）は取付け状態の平面図である。
【図９】商品陳列装置の第３実施形態の斜視図である。
【図１０】商品陳列装置の第４実施形態の斜視図である。
【符号の説明】
１      陳列什器
２      枠体
４      パネル体
１０、２０、３０、４０    商品陳列装置
１１、２１、３１、４１    上支持体
１２、２２、３２、４２    下支持体
１４      載置板
１１ｂ、２１ｂ、３１ｂ、４１ｂ    上間隔保持アーム部
１２ｂ、２２ｂ、３２ｂ、４２ｂ    下間隔保持アーム部
１１ｃ、２１ｃ、３１ｃ、４１ｃ    主支持アーム部
１２ｃ、２２ｃ、３２ｃ、４２ｃ    補助支持アーム部
２３      包装体
２３ａ    フック部
【図１】
2004173929.tif 000003
【図２】
2004173929.tif 000004
【図３】
2004173929.tif 000005
【図４】
2004173929.tif 000006
【図５】
2004173929.tif 000007
【図６】
2004173929.tif 000008
【図７】
2004173929.tif 000009
【図８】
2004173929.tif 000010
【図９】
2004173929.tif 000011
【図１０】
2004173929.tif 000012